(57)【特許請求の範囲】
【請求項１】
指部から甲部までの手の平全体に亘るベース生地と、甲部面側にあって、上記ベース生地の指部外周縁に対して指挿入空間を形成するように縫い付けられる指カバー部と、上記ベース生地の甲部外周縁に対して甲部挿入空間を形成するように縫い付けられる甲部カバー部とからなる作業用手袋であって、上記指カバー部は、相互に分断された、挿入される指の先端から第１の関節に至る伸縮性のある第１のパーツ生地と、第１の関節から第２の関節に至る伸縮性のある第２のパーツ生地と、第２の関節から甲部側第３の関節に至る伸縮性のある第３のパーツ生地と、該第１〜第３のパーツ生地中に挿入された第１〜第３のプロテクター片と、上記第１、第２のパーツ生地の分断部内側にあって、上記第１、第２のパーツ生地と相互に重なり合う状態で、上記第１の関節部を覆う伸縮性のある第４のパーツ生地と、該第４のパーツ生地の中に挿入された第４のプロテクター片とからなり、上記第１〜第４のパーツ生地は、それぞれ隣接するものが相互に伸縮可能に接合されているとともに、上記甲部カバー部は、上記第３の関節部で指カバー部と分断された伸縮性のある第５のパーツ生地と該第５のパーツ生地中に挿入された第５のプロテクター片とからなっていて、上記第５のパーツ生地は、上記第３のパーツ生地に対して伸縮可能に接合されていることを特徴とする作業用手袋。
【請求項２】
指カバー部側第３のパーツ生地と甲部カバー部側第５のパーツ生地との接合部には、上記第３のパーツ生地と第５のパーツ生地とに重なり合う状態で、指カバー部と甲部カバー部との間の第３の関節部を覆う伸縮性のある表側第６のパーツ生地と裏側第７のパーツ生地が設けられ、第６のパーツ生地には第６のプロテクター片が、また第７のパーツ生地には第７のプロテクター片が挿入され、それぞれ上記第３のパーツ生地と第５のパーツ生地に対して接合されていることを特徴とする請求項１記載の作業用手袋。
【請求項３】
第１〜第３のパーツ生地、第４のパーツ生地、第５のパーツ生地、第６および第７のパーツ生地は、それぞれプロテクター片挿入用の開口部を残して２枚重ねの生地の周囲をヒートシールすることによって袋状に形成されており、プロテクター片挿入用の開口部は、プロテクター片が挿入され、成形された後にヒートシールされるようになっていることを特徴とする請求項２記載の作業用手袋。
【請求項４】
人差し指から小指までの各指部の第２関節と甲部側第３関節との間の指部をカバーする第３のパーツ生地および第３のプロテクター片は、それぞれ相互に一体に連接されてベース生地に縫い付けられていることを特徴とする請求項１、２又は３記載の作業用手袋。
【請求項５】
人差し指から小指までの各指部の第２関節と甲部側第３関節との間の指部をカバーする第３のパーツ生地および第３のプロテクター片は、それぞれ相互に独立に分断された形でベース生地に縫い付けられているとともに、上記人差し指から小指までの各指部の第２関節と甲部側第３関節との間の指部間には、断面Ｖ字状の股部カバー部が設けられていることを特徴とする請求項１，２または３記載の作業用手袋。
【発明の詳細な説明】
【技術分野】
【０００１】
本願発明は、作業用手袋の構成に関し、詳しくは、ウオータージェット等の作業機を用いた作業に適した作業用手袋の構成に関するものである。
【背景技術】
【０００２】
超高圧水をノズルの先端から噴出させて、その噴流で対象物の切断や、斫り、洗浄などなどの作業を行うウオータージェット式の作業機（以下、同作業機を単にウオータージェットと言い、同作業機を用いた作業をウオータージェット作業と言う）は、天候の影響を受けず、削岩機のような振動も少なく、粉塵も出ず、騒音も小さい、などの利点から、コンクリート構造物の切断や、斫り、洗浄などの作業に使用されている（いわゆる、ウオータージェット工法）。
【０００３】
ところが、このようなウオータージェット作業では、作業中において、対象物から作業者側に噴流が反射し、また斫られたコンクリートの破片が跳ね返るなどの危険がある。
【０００４】
そこで、このような事故から作業者の体を保護するために、複数枚の金属板を鎧形に連接し、その表裏両面側を撥水性の繊維カバーなどで覆ったエプロン型のプロテクターが提案されている（例えば、以下に示す特許文献１を参照）。
【０００５】
また、実際の作業では、このプロテクターと共に、顔面保護マスク付きのヘルメットやレガース、アームカバー、ガンカバーなどの各種のプロテクターを組み合わせて装着し、作業性の良さを確保しながら、より効果的な保護が図られるようになっている。
【０００６】
ところが、従来の構成の場合、先端にジェットノズルを備えた筒状のハンドガン本体の後部に設けられた前後２本の操作部（把手部）を握る手の部分には、単に厚手のゴム製手袋が使用されているのみであり、必ずしも十分な保護が図られているとは言えなかった。
【０００７】
これは、これまでの所、ハンドガンの操作部をしっかりと握って自由に操作できるだけの自由度に富み、しかも防護機能も高い適切な作業用の手袋がなかったためであり、手の全体および各指の自由な操作性を確保しながら、しかも確実な手指の保護を図ることができる新規な作業用手袋の提供が求められている。
【０００８】
なお、これに関し、用途は異なるが、例えば冷凍食品や木材等を回転鋸刃で切断する際に使用される作業用手袋として、指や甲部の上面側に指節部や関節部の一部を覆う複数の金属製のプロテクターを設け、それらを直接カシメ合わせて連結したものが提案されている（例えば、以下の特許文献２を参照）。
【０００９】
そこで、このような作業用手袋を、ウオータージェット作業用の防護手袋として利用することも考えられる。
【先行技術文献】
【特許文献】
【００１０】
【特許文献１】特開２０１４−１８５４０９号公報（図１参照）
【特許文献２】特開２００１−２７９５０３号公報（図１および図２参照）
【発明の概要】
【発明が解決しようとする課題】
【００１１】
しかし、上記後者のような構成の作業用手袋の場合、指や甲部の上面側を覆う複数の金属製のプロテクターを直接カシメ合わせて連結しており、それらプロテクター間の屈伸（曲げ伸ばし）の自由度が低く、作業時においてスムーズな指の屈伸を行うことができない。そのために、ウオータジェット・ハンドガンの操作部を強く握ることもできないので、作業時の操作性が悪く、また作業時において上記複数の金属同士の接触による異音が生じる、などの欠点がある。また、複数の金属プロテクター同士の高精度なカシメ加工が必要であるため、製造も複雑で、製造コストも高くなる。
【００１２】
したがって、同構成の作業用手袋は、ウオータージェット作業用の手袋としては適していない。
【００１３】
本願発明は、このような事情に基づいてなされたものであり、手の指や甲部部分を確実にカバーしながら、しかも、それらの関節部分を自由、かつ静粛に（スムーズに）屈伸することができるウオータージェット作業等に適した操作性の良い作業用の手袋を提供することを目的とするものである。
【課題を解決するための手段】
【００１４】
本願発明は、上述の問題を解決するために、次のような有効な課題解決手段を備えて構成されている。
【００１５】
（１）請求項１の発明の課題解決手段
この発明の課題解決手段は、指部から甲部までの手の平全体に亘るベース生地と、甲部面側にあって、上記ベース生地の指部外周縁に対して指挿入空間を形成するように縫い付けられる指カバー部と、上記ベース生地の甲部外周縁に対して甲部挿入空間を形成するように縫い付けられる甲部カバー部とからなる作業用手袋であって、上記指カバー部は、相互に分断された、挿入される指の先端から第１の関節に至る伸縮性のある第１のパーツ生地と、第１の関節から第２の関節に至る伸縮性のある第２のパーツ生地と、第２の関節から甲部側第３の関節に至る伸縮性のある第３のパーツ生地と、該第１〜第３のパーツ生地中に挿入された第１〜第３のプロテクター片と、上記第１、第２のパーツ生地の分断部内側にあって、上記第１、第２のパーツ生地と相互に重なり合う状態で、上記第１の関節部を覆う伸縮性のある第４のパーツ生地と、該第４のパーツ生地の中に挿入された第４のプロテクター片とからなり、上記第１〜第４のパーツ生地は、それぞれ隣接するものが相互に伸縮可能に接合されているとともに、上記甲部カバー部は、上記第３の関節部で指カバー部と分断された伸縮性のある第５のパーツ生地と該第５のパーツ生地中に挿入された第５のプロテクター片とからなっていて、上記第５のパーツ生地は、上記第３のパーツ生地に対して伸縮可能に接合されていることを特徴としている。
【００１６】
このような構成によると、作業者の手の指部、関節部、甲部が、それぞれ第１〜第３のプロテクター片、第４のプロテクター片、第５のプロテクター片を挿入した第１〜第３のパーツ生地、第４のパーツ生地、第５のパーツ生地によって、それぞれ確実にカバーされることになり、ウオータージェット作業時の水の反射やコンクリートの破砕片の飛び散りがあっても安全となる。
【００１７】
そして、それら第１〜第３のパーツ生地、第４のパーツ生地、第５のパーツ生地は、それぞれ伸縮性のある生地により形成されている。したがって、そのプロテクター片挿入用の開口部および生地の全体が容易に伸び縮みし、プロテクター片挿入用の開口部を介して、上記第１〜第３のパーツ生地、第４のパーツ生地、第５のパーツ生地内にそれぞれ第１〜第３のプロテクター片、第４のプロテクター片、第５のプロテクター片を容易に挿入することができ、また同プロテクター片を挿入した後も各パーツ生地は自由に伸縮する。
【００１８】
また、それに加えて、上記第１、第２のパーツ生地は、上記第１の関節部に位置する上記第４のパーツ生地を介して相互に伸縮可能に接合されているとともに、上記第２のパーツ生地は第３のパーツ生地と伸縮可能に接合されており、さらに上記甲部カバー部の第５のパーツ生地が、上記指カバー部側の第３のパーツ生地に対して伸縮可能に接合されている。
【００１９】
したがって、それら相互に分断された各パーツ生地の下部側が上記ベース生地の外周縁に対して縫付けられて、確実に連結されていることに加え、上部側でも相互に伸縮可能な状態で確実に連接されている。
【００２０】
その結果、上記指の各関節部における指節部の曲げ伸ばし操作が自由でありながら、それぞれのパーツ生地が安定した一体状態に維持されるようになり、防護性、作業性共に優れた作業用の手袋が形成される。
【００２１】
（２）請求項２の発明の課題解決手段
この発明の課題解決手段は、上記請求項１の発明の課題解決手段において、指カバー部側第３のパーツ生地と甲部カバー部側第５のパーツ生地との接合部には、上記第３のパーツ生地と第５のパーツ生地とに重なり合う状態で、指カバー部と甲部カバー部との間の第３の関節部を覆う伸縮性のある表側第６のパーツ生地と裏側第７のパーツ生地が設けられ、第６のパーツ生地には第６のプロテクター片が、また第７のパーツ生地には第７のプロテクター片が挿入され、それぞれ上記第３のパーツ生地と第５のパーツ生地に対して接合されていることを特徴としている。
【００２２】
指カバー部側第３のパーツ生地と甲部カバー部側第５のパーツ生地との接合部は、指部側と甲部側との間の第３の関節部に対応している。しかも、そこはウオータージェット作業時などに最も水の反射やコンクリート破砕片の飛び散りを受けやすい部分である。
【００２３】
したがって、同部分の場合には、その内側と外側の両方に位置して、上記第３のパーツ生地と第５のパーツ生地とに重なり合うように、指部との間の第３の関節部を覆う伸縮性のある表側第６のパーツ生地と裏側第７のパーツ生地を設け、第６のパーツ生地には第６のプロテクター片を、第７のパーツ生地には第７のプロテクター片を挿入し、表面側と裏面側で上記第３のパーツ生地と第５のパーツ生地との間にかけて接合する。
【００２４】
これにより、上記指カバー部側第３のパーツ生地と甲部カバー部側第５のパーツ生地との分断部である指部と甲部との間の第３の関節部が保護される。
【００２５】
（３）請求項３の発明の課題解決手段
この発明の課題解決手段は、上記請求項２の発明の課題解決手段の構成において、第１〜第３のパーツ生地、第４のパーツ生地、第５のパーツ生地、第６および第７のパーツ生地は、それぞれプロテクター片挿入用の開口部を残して２枚重ねの生地の周囲をヒートシールすることによって袋状に形成されており、プロテクター片挿入用の開口部は、プロテクター片が挿入され、成形された後にヒートシールされるようになっていることを特徴としている。
【００２６】
このように、第１〜第３のパーツ生地、第４のパーツ生地、第５のパーツ生地、第６および第７のパーツ生地は、それぞれプロテクター片挿入用の開口部を残して２枚重ねの生地の周囲をヒートシールすることにより袋状に形成される。
【００２７】
そして、同袋状態において、それらの内、第１〜第３のパーツ生地、第４のパーツ生地、第５のパーツ生地が、上記ベース生地に縫い付けられ、縫い付け後にプロテクター片挿入用の開口部からプロテクター片が挿入される。
【００２８】
この場合、第１〜第３のパーツ生地、第４のパーツ生地、第５のパーツ生地は、縫い付けによってトンネル状態に形成されており、プロテクター片挿入用の開口部の大きさも、プロテクター片よりも小さいが、上記のように、各生地には伸縮性があり、開口部も自由に伸縮して口径が拡大される。したがって、容易に必要な大きさのプロテクター片を挿入することができる。そして、プロテクター片挿入用の開口部は、プロテクター片を挿入した後に目的とする形状に成形され、ヒートシールによりシールされる。
【００２９】
他方、指カバー部と甲部カバー部との間の第３の関節部を覆う表側第６のパーツ生地は、必要な大きさのプロテクター片を挿入した後に、目的とする形状に成形され、プロテクター片挿入用の開口部をヒートシールによりシールする。そして、その上で上記指カバー部側第３のパーツ生地と甲部カバー部側第５のパーツ生地との間に、それらの間を上面側から覆う形で熱溶着により接合一体化される。また、同様の第７のパーツ生地も、必要な大きさのプロテクター片を挿入した後に、目的とする形状に成形され、プロテクター片挿入用の開口部をヒートシールによりシールする。そして、その上で上記指カバー部側第３のパーツ生地と甲部カバー部側第５のパーツ生地との間を裏面側から覆う形で熱溶着により一体に接合される。
【００３０】
これにより、親指から、人差し指、中指、薬指、小指の全て、およびそれらの各関節部分、それら各指と甲部との関節部分が自由に屈伸可能で、外部からの衝撃にも強い作業用手袋が実現される。
【００３１】
（４）請求項４の発明の課題解決手段
この発明の課題解決手段は、上記請求項１，２又は３の発明の課題解決手段の構成において、人差し指から小指までの各指部の第２関節と甲部側第３関節との間の指部をカバーする第３のパーツ生地および第３のプロテクター片は、それぞれ相互に一体に連接されてベース生地に縫い付けられていることを特徴としている。
【００３２】
人差し指から小指までの各指部の第１関節、第２関節の部分は、ウオータージェット作業時の操作性から言って、屈伸角度も大きく、屈伸頻度も高い。したがって、同部分における第１〜第３のパーツ生地、第４のパーツ生地は、相互に独立分断された形でベース生地に縫い付けられていることが好ましい。
【００３３】
しかし、人差し指から小指までの各指部の甲部側第３関節部分は、屈伸頻度は同じでも、屈伸角度は小さい。したがって、人差し指から小指までの各指部の第２関節と甲部側第３関節との間の指部をカバーする第３のパーツ生地や第３のプロテクター片は、相互につながっていても、十分に自由な屈伸操作が可能である。
【００３４】
また、相互につながっていると、それら各指部間の断面Ｖ字状の連接部が各指部間の基部（股部）を安全に保護することになるし、甲部側パーツ生地との伸縮可能な状態での接合性も良くなるなど、指部基部部分の強度、耐久性、安全性が向上する。
【００３５】
（５）請求項５の発明の課題解決手段
この発明の課題解決手段は、上記請求項１，２又は３の発明の課題解決手段の構成において、人差し指から小指までの各指部の第２関節と甲部側第３関節との間の指部をカバーする第３のパーツ生地および第３のプロテクター片は、それぞれ相互に独立に分断された形でベース生地に縫い付けられているとともに、上記人差し指から小指までの各指部の第２関節と甲部側第３関節との間の指部間には、断面Ｖ字状の股部カバー部が設けられていることを特徴としている。
【００３６】
人差し指から小指までの各指部の第２関節と甲部側第３関節部分の屈伸角度は小さいとは言いながらも、相互の自由度が高い方が手袋としての操作性は向上する。したがって、この発明の場合には、各指部の第２関節と甲部側第３関節との間の指部をカバーする第３のパーツ生地や第３のプロテクター片についても、それぞれ相互に独立に分断された形でベース生地に縫い付けて、十分に自由な屈伸操作を可能とする。
【００３７】
他方、上記人差し指から小指までの各指部の第２関節と甲部側第３関節との間の指部間には、上記連接部に代わる形で断面Ｖ字状の股部カバー部を設けて、各指部間の基部（股部）を安全に保護するとともに、指部基部部分の強度、耐久性、安全性を向上させる。
【発明の効果】
【００３８】
以上の結果、本願発明によると、手の指（関節部を含めて）や甲部部分を確実にカバーしながらも、指部および指と甲部間の各関節部分を自由に曲げたり、伸ばしたりすることができるウオータージェット作業等に適した作業用の手袋を提供することができるようになる。
【図面の簡単な説明】
【００３９】
【図１】本願発明の実施の形態に係る作業用手袋（左手用）の全体的な構成を示す甲部の右上面側から見た斜視図である。
【図２】同作業用手袋の全体的な構成を示す親指側の側方から見た側面図である。
【図３】同作業用手袋の中指カバー部分の先端から甲部カバー部分中央部までの各パーツ生地の接合構造を示す左右両端側中央部位置で前後方向に切断した断面図である。
【図４】同作業用手袋の手の平側ベース生地部分の全体的な構成を示す平面図（指カバー部および甲部カバー部等が縫い付けられる前のベース生地の平面図）である。
【図５】同作業用手袋の中指カバー部分の先端側第１のパーツ生地のベース生地に対する縫い付け状態の構成を示す要部の斜視図である。
【図６】同作業用手袋の中指カバー部分の指側第１関節に対応する第４のパーツ生地のベース生地に対する縫い付け状態の構成を示す要部の斜視図である。
【図７】同作業用手袋の中指カバー部分の中央部側第２のパーツ生地のベース生地に対する縫い付け状態の構成を示す要部の斜視図である。
【図８】同作業用手袋の中指カバー部分の後端側第３のパーツ生地のベース生地に対する縫い付け状態の構成を示す要部の斜視図である。
【図９】同作業用手袋において、上記図５の第１のパーツ生地、図６の第４のパーツ生地、図７の第２のパーツ生地、図８の第３のパーツ生地中に、それぞれ金属製の第１のプロテクター片、第４のプロテクター片、第２のプロテクター片、第３のプロテクター片を挿入し、成形機で成形するとともに、プロテクター片挿入用の開口部をヒートシールした後の断面構造を順番に（ａ）〜（ｄ）として示した断面図である。
【図１０】同作業用手袋の上記図５の第１のパーツ生地、図６の第４のパーツ生地、図７の第２のパーツ生地、図８の第３のパーツ生地中に各々収納される第１のプロテクター片、第４のプロテクター片、第２のプロテクター片、第３のプロテクター片の成形前の形状を順番に（ａ）〜（ｄ）で示す平面図である。
【図１１】同作業用手袋の上記図５〜図８の各パーツ生地中に収納される図１０の（ａ）〜（ｄ）の各プロテクター片の成形後の形状（生地内部における形状）を順番に（ａ）〜（ｄ）で示す斜視図である。
【図１２】同作業用手袋の第５のプロテクター片が収納された甲部カバー部側第５のパーツ生地の成形前の構成を示す図である。
【図１３】同作業用手袋の第６のプロテクター片が収納された甲部カバー部および指カバー部間の接合部補強用の第６のパーツ生地（表面側補強生地）の成形前の構成を示す図である。
【図１４】同作業用手袋の第７のプロテクター片が収納された甲部カバー部および指カバー部間の接合部補強用の第７のパーツ生地（裏面側補強生地）の成形前の構成を示す図である。
【図１５】上記本願発明の実施の形態において、上記第３のプロテクター片の形状を相互に連結されたものではなくて、それぞれ独立した構造のものに形成した変形例１に係る作業用手袋において使用される第１〜第７のプロテクター片の成形前の形状の一例（切断パターン）を示す図である。
【図１６】同変形例１に係る作業用手袋における第３のパーツ生地のベース生地に対する縫い付け状態の構成を示す斜視図である。
【図１７】同変形例１に係る作業用手袋における図１６の第３のパーツ生地中に図１５の形状の第３のプロテクター片を挿入し、生地部分全体を成形した上でプロテクター片挿入用の開口部をシールした状態における断面構造を示す断面図である。
【図１８】上記本願発明の実施の形態において、上記第３のプロテクター片の形状を上記図１５〜図１７の変形例１の構成と同様に、それぞれ独立した構造のものに形成する一方、それに加えて、第２のパーツ生地および第２のプロテクター片と第３のパーツ生地および第３のプロテクター片の下部側にそれらの間を保護する第８のパーツ生地および第８のプロテクター片を設け、さらに人差し指と中指間、中指と薬指間、薬指と小指間の基部側股部部分に当該股部保護用の第９のパーツ生地および第９のプロテクター片を設けた本願発明の変形例２に係る作業用手袋において使用される第１〜第９の各プロテクター片の成形前の形状の一例（切断パターン）を示す図である。
【図１９】同変形例２に係る作業用手袋の第１のパーツ生地、第４のパーツ生地、第２のパーツ生地、第８のパーツ生地、第３のパーツ生地中に各々収納される第１のプロテクター片、第４のプロテクター片、第２のプロテクター片、第８のプロテクター片、第３のプロテクター片の成形前の形状を順番に（ａ）〜（ｅ）で示す平面図である。
【図２０】同変形例２に係る作業用手袋の第９のパーツ生地中に収納される第９のプロテクター片の成形前の形状を示す平面図である。
【図２１】同作業用手袋の上記第１のパーツ生地、第４のパーツ生地、第２のパーツ生地、第８のパーツ生地、第３のパーツ生地中に各々収納される上記第１のプロテクター片、第４のプロテクター片、第２のプロテクター片、第８のプロテクター片、第３のプロテクター片（図１９の（ａ）〜（ｅ））の成形後の形状（生地内部における形状）を順番に（ａ）〜（ｅ）で示す斜視図である。
【図２２】同変形例２に係る作業用手袋の第９のパーツ生地中に収納される第９のプロテクター片の成形後の形状を示す平面図である。
【図２３】同変形例２に係る作業用手袋の股部保護用の第９のパーツ生地中に収納される第９のプロテクター片と第３のパーツ生地中に収納される第３のプロテクター片相互の重なり状態を示す説明用の斜視図である。
【図２４】同変形例２に係る作業用手袋の股部保護用の第９のパーツ生地中に収納される第９のプロテクター片と第３のパーツ生地中に収納される第３のプロテクター片相互の重なり状態と実際の指との関係を示す説明用の斜視図である。
【図２５】同作業用手袋の中指カバー部分の先端から甲部カバー部分中央部までの各パーツ生地の接合構造を示す左右両端側中央部位置で前後方向に切断した断面図である。
【発明を実施するための形態】
【００４０】
図１〜図４は、本願発明の実施の形態に係る作業用手袋の手袋全体の構成を、また図５〜図１４は、同作業用手袋の要部の構成を示している。
【００４１】
この実施の形態は、手の指や甲部、手首部分を確実にカバーしながら、しかも、それらの関節部分を自由に屈伸（曲げ伸ばし）することができるウオータージェット作業等に適した安全で作業性の良い作業用手袋を実現することを目的として構成されている。
【００４２】
＜指部から甲部、手首部に至る手袋全体の基本的な構成＞
この実施の形態に係る作業用手袋は、大きく分けると、例えば図１〜図４に示されるように、手の平面側（図１の紙面裏側）にあって、その指部から甲部、手首部までの掌面全体に亘る大きさのフラットなベース生地（基布）１（図４参照）と、手の背面側（上面側）にあって、上記ベース生地１の親指ないし小指の５本の指に対応する指部生地１Ａ〜１Ｅの外周縁部１ａ〜１ｅに対して指挿入空間２、２・・（図３参照）を形成するようにトンネル構造に縫い付けられた５本の指カバーよりなる指カバー部３と、上記ベース生地１の甲部生地１Ｆの外周縁部１ｆに対して甲部挿入空間５を形成するようにトンネル構造に縫い付けられた甲部カバー部４と、上記ベース生地１の手首部生地１Ｇの外周縁部１ｇに対して手首部挿入空間（甲部挿入空間５に連続するものであるため、甲部挿入空間５で代表させて示す）を形成するようにトンネル構造に縫い付けられた手首カバー部（甲部カバー部４に連続するものであるため、甲部カバー部４で代表させて示す）とから構成されている。
【００４３】
この場合、上記ベース生地１としては、例えば高密度ポリエステル繊維その他の強度が高く、比較的厚さが厚い１枚構造の合成繊維製の生地が採用されている。このベース生地１は、必ずしも伸縮性を必要とするものではないが、必要な場合には、強度が高くて、縦および横の両方向に伸縮性のあるニット系の素材（２ウエイ生地）を採用しても良い。そのようにすると、握持性等の作業性が良くなる。
【００４４】
＜指カバー部分の構成＞
上記指カバー部３は、第１〜第３の３つの関節部がある人差し指、中指、薬指、小指に対応する指カバー部分の場合と、第１、第２の２つの関節部しかない親指に対応する指カバー部分の場合とでは、少し構成が異なっている。
【００４５】
（１）人差し指、中指、薬指、小指に対応する指カバー部分の場合
すなわち、先ず、第１〜第３の３つの関節部がある人差し指、中指、薬指、小指部分の場合には、それぞれ挿入される指の末節部（先端部）、中節部（中間部）、基節部（根元部）に対応し、上記第１、第２の関節部に対応する位置で相互に独立に分断されている２枚重ね構造で伸縮性のある第１、第２、第３の３組のパーツ生地３１、３２、３３と、該第１、第２、第３の２枚重ねのパーツ生地３１、３２、３３中に挿入された第１、第２、第３の各金属製のプロテクター片３１ａ、３２ａ、３３ａと、上記第１、第２のパーツ生地３１、３２相互の分断部（隣接部）の内側にあって、上記第１、第２のパーツ生地３１、３２の端部と相互に所定の幅だけ重なり合う状態で、上記第１の関節部を覆う２枚重ね構造で伸縮性のある第４のパーツ生地３４と、該第４のパーツ生地３４中に挿入された第４の金属製のプロテクター片３４ａとからなっている。
【００４６】
上記プロテクター片３１ａ〜３４ａには、例えばＳＵＳ３０４などの比較的成形性の高いステンレス材が用いられる（厚さ０．２ｍｍ程度）。以下の各プロテクター片においても同様である。
【００４７】
上記第１、第２、第３のパーツ生地３１、３２、３３および第４のパーツ生地３４は、それぞれ縦および横の２方向に伸縮性のあるニット製の上下２枚の生地（２ウエイ生地）を１枚状態に重合し、その左右両縁部および前後両縁部の何れか一方をヒートシールして袋状に構成されており、その前後両縁部の何れか一方側のヒートシールされていない部分に、それぞれ上記第１、第２、第３のプロテクター片３１ａ、３２ａ、３３ａおよび第４のプロテクター片３４ａを挿入するための所定の幅の開口部３０・・を形成している。
【００４８】
そして、先ず上記第１、第２、第３のプロテクター片３１ａ、３２ａ、３３ａおよび第４のプロテクター片３４ａを挿入する前の袋状態において、例えば図５〜図８に示すように、それぞれヒートシールされている前端側縁部Ｈおよび左右両側縁部Ｈ、Ｈ（第１のパーツ生地３１の場合）、左右両側縁部Ｈ、Ｈ（第２、第３、第４のパーツ生地３２、３３、３４の場合）を上記ベース生地１の各指部生地１Ｂ〜１Ｅの外周縁部１ｂ〜１ｅ部分に対して、全体として袋構造（第１のパーツ生地の場合）、トンネル構造（第２、第３、第４のパーツ生地３２、３３、３４の場合）を形成するように縫い付ける。この縫い付け方は、第３のパーツ生地３３の場合、相互に隣接する指のものが相互に連接されているので、左右両側を縫い付けると言っても、第２、第４のパーツ生地３２、３４の場合とは若干異なるが、この点については後に改めて説明する。
【００４９】
なお、図５〜図８の例では、人差し指から小指までの４本の指カバー部のうち、最も長さが長い中指部分の指カバー部の構成で代表させてその構成を示しているが、人差し指、薬指、小指部分の場合にも基本的な構成は全く同様である。
【００５０】
そして、この場合、上記第１、第２、第３のパーツ生地３１、３２、３３および第４のパーツ生地３４としては、前述のようなニット生地、例えばレオタードに使用されているような縦および横の何れの方向にも伸縮性があって、その引張り強さも一定値以上の強靭なものが選ばれる。また、破れにくく、撥水性があることも必要である。
【００５１】
したがって、例えば図５〜図８のように外周囲がヒートシールされ、かつベース生地１に対して縫い付けられた状態においても、上記プロテクター片挿入用の開口部３０、３０・・を含めて上記第１、第２、第３のパーツ生地３１、３２、３３および第４のパーツ生地３４は、その全体が所定の引張強度を維持した状態で、縦および横、斜め方向にも容易に伸び縮みし、上記各開口部３０、３０・・を介して当該袋構造、トンネル構造で２枚重ねの袋状の第１、第２、第３のパーツ生地３１、３２、３３および第４のパーツ生地３４内にそれぞれ所望の形状に成形加工した上記第１、第２、第３のプロテクター片３１ａ、３２ａ、３３ａおよび第４のプロテクター片３４ａを容易に挿入することができ、また同第１、第２、第３のプロテクター片３１ａ、３２ａ、３３ａおよび第４のプロテクター片３４ａを挿入した後も、当該各パーツ生地３１、３２、３３および３４が前後左右に自由に相対移動し得るようになる。これは、上記第４のパーツ生地３４と第１、第２のパーツ生地３１、３２との重なり合う部分においても全く同様であり、自由に相対摺動することができる。また、後述するように、それら第１、第２、第３、第４のパーツ生地３１、３２、３３、３４が舌部３２ｂ、３４ｂ、３４ｂを介して、また舌部を介さずに直接にヒートシール部同士が熱溶着されて接合された場合にも同様である。
【００５２】
この場合、指部先端側に位置する上記第１のパーツ生地３１は、例えば図５に示すように、先ず先端側縁部Ｈおよび左右両縁部Ｈ、Ｈ外周囲の全体がベース生地１の指部１Ｃ外周縁部１ｃに縫い付けられて全体として袋状の指袋構造に形成され、その後端部側ヒートシールしていない部分に第１のプロテクター片３１ａ挿入用の開口部３０が形成されている（残されている）。そして、この後端部側の開口部３０を利用して、例えば図１１の（ａ）に示す形状に成形された第１のプロテクター片３１ａが挿入され、該第１のプロテクター片３１ａが上記第１のパーツ生地３１と一体になって、当該第１のパーツ生地３１の全体を例えば図５および図９の（ａ）に示すような、前端側が狭くなった指挿入空間（指の末節部挿入空間）２を形成した指袋型の塑性形状に維持する。そして、その後、上記開口部３０が最終的にヒートシールされて閉じられる。
【００５３】
上記第１のプロテクター片３１ａは、例えば所定の裁断工程において図１０（ａ）のような形状に裁断された平板上の金属片を、所定のプレス工程（成形工程）にかけて、図１１の（ａ）のような所望の形状に成形する。
【００５４】
また、指の第１関節部に位置して第１関節部を保護する上記第４のパーツ生地３４は、例えば図６に示すように、そのヒートシールされている左右両側の縁部Ｈ、Ｈのみが上記ベース生地１両側の縁部１ｃ、１ｃに縫い付けられて前端側から後端側にかけて若干径が拡大した筒状に形成されているが、その中央部（天面部）の前後両端部分には所定の長さの連結用の舌部３４ｂ、３４ｂが設けられており、また同舌部３４ｂを有する例えばヒートシールされていない後端側には、第４のプロテクター片３４ａ挿入用の開口部３０が形成されている。そして、この後端側の開口部３０を利用して、図１１の（ｂ）に示す形状の第４のプロテクター片３４ａが挿入され、該第４のプロテクター片３４ａにより、当該第４のパーツ生地３４の全体が図６および図９の（ｂ）に示すような指挿入空間（指の第１関節部挿入空間）２を形成した筒型の塑性形状に維持される。そして、その後、上記開口部３０が最終的にヒートシールされて閉じられる。
【００５５】
上記第４のプロテクター片３４ａは、例えば所定の裁断工程において図１０の（ｂ）のような形状に裁断された平板上の金属片を、所定のプレス工程（成形工程）にかけて、図１１の（ｂ）のような所望の形状に成形する。
【００５６】
この第４のパーツ生地３４は、上記第１のパーツ生地３１と後述する第２のパーツ生地３２の内側に相対摺動可能な状態で嵌装される関係で、その前後および全体の外径が上記第１のパーツ生地３１の後端側内径および後述する第２のパーツ生地３２の前端側内径よりも適度に小さく形成されている。
【００５７】
また、指部中節部に位置する上記第２のパーツ生地３２は、例えば図７に示すように、そのヒートシールされた左右両側の縁部Ｈ、Ｈが上記ベース生地１の左右両側の縁部１ｃ、１ｃに縫い付けられて前端側から後端側に欠けて若干径が拡大する筒状に形成され、その天面部中央部の後端側には所定の長さの連結用の舌部３２ｂが設けられている一方、また舌部の無い前端側にはヒートシールしないことによって第２のプロテクター片３２ａ挿入用の開口部３０が形成されている。そして、この前端側の開口部３０を利用して、図１１の（ｃ）に示す形状の第２のプロテクター片３２ａが挿入され、該挿入された第２のプロテクター片３２ａにより、当該第２のパーツ生地３２の全体が図７および図９の（ｃ）に示す指挿入空間（指の中節部挿入空間）２を形成した筒型の塑性形状に維持される。そして、その後、上記開口部３０が最終的にヒートシールされて閉じられる。
【００５８】
上記第２のプロテクター片３２ａは、例えば所定の裁断工程において図１０の（ｂ）のような形状に裁断された平板上の金属片を、所定のプレス工程（成形工程）にかけて、図１１の（ｂ）のような所望の形状に成形する。
【００５９】
また、人差し指から小指までの各指部の基節部および甲部側中手骨部分に対応する上記第３のパーツ生地３３、３３・・は、例えば図８に示すように、それら４本の指カバー部を形成する４組の各パーツ生地３３、３３・・が、それぞれその左右両側の縁部Ｈ、Ｈ部分で上記ベース生地１の縁部１ｃ、１ｃに縫い付けられて前端側から後端側にかけて若干径が拡大する筒状に形成され（前端側は上記第２のパーツ生地３２の後端側に外嵌されるために、上記第２のパーツ生地３２の後端側の外径よりも若干大きく形成されている）、それら各部の後端側には同部分の全体をヒートシールしないことによって、第３のプロテクター片３３ａ、３３ａ・・挿入用の幅の広い開口部３０が形成されている。
【００６０】
そして、同開口部３０を利用して、例えば図１１の（ｄ）に示すような形状の第３のプロテクター片３３ａ、３３ａ・・が挿入され、該挿入された第３のプロテクター片３３ａ、３３ａ・・により、当該第３のパーツ生地３３、３３・・の全体が、例えば図８および図９（ｄ）に示すような指挿入空間（指の基節部挿入空間）２、２・・を形成した筒型の塑性形状に維持される。そして、その後、上記後端側の幅広の開口部３０が最終的にヒートシールされて閉じられる。
【００６１】
しかし、これら各指の基部側に位置する第３のパーツ生地３３、３３・・は、各指間で全く別個に独立して形成されている上記第１、第２、第４のパーツ生地３１、３２、３４の場合と異なり、その途中から後半部側では、それぞれ相互につながって一体となっており、それらの中に入れられる上記第３のプロテクター片３３ａ、３３ａ・・も、例えば図１１の（ｄ）に示されるように、その途中から後半部側で、それぞれ相互につながって一体のものとなっている。
【００６２】
これらの相互につながった第３のプロテクター片３３ａ、３３ａ・・は、例えば裁断工程で裁断された平面状態では、図１０の（ｄ）に示すような形状をしており、この図１０の（ｄ）の形状の金属板を相互の間の折り曲げ部（折り曲げライン）３３ｂ、３３ｂ・・部分で図１１の（ｄ）のように各々山形に折り曲げることによって、上記第３のパーツ生地３３、３３・・と一緒に立体形状に成形し、それによって上記第３のパーツ生地３３ａ、３３ａ・・の全体を同様の山形の塑性形状に形成している（図８および図９の（ｄ）を参照）。
【００６３】
各指部の第１関節、第２関節の部分は、ウオータージェット作業時の操作性から言って、屈伸角度も大きく、屈伸頻度も高い。したがって、同部分における第１、第２のパーツ生地３１、３２、第４のパーツ生地３４は、相互に独立に分断された形でベース生地１に縫い付けられている方が好ましい。
【００６４】
しかし、人差し指から小指までの各指部の甲部カバー部４側第３関節部分は、屈伸頻度は同じでも、屈伸角度は小さい。また、各指の独立した動きの角度は小さく、全体が一緒に動くと見ても良い位である。したがって、各指部の第２関節と甲部カバー部４側第３関節部との間の基節部をカバーする第３のパーツ生地３３、３３・・や第３のプロテクター片３３ａ、３３ａ・・は、図示のように相互につながっていても、十分に自由な屈伸操作が可能である。
【００６５】
また、相互につながっている方が、甲部カバー部４側第５のパーツ生地４１との伸縮可能な状態での接合性も良く、指部基部としての強度、耐久性も向上する。そのため、同部分における第３のパーツ生地３３、３３・・および同生地３３、３３・・中の金属製のプロテクター片３３ａ、３３ａ・・は、そのベース生地１に対する縫い付け強度や後述する甲部カバー部４との接合強度などを考えて、相互に一体となったものに構成する。
【００６６】
以上のように上記指部先端側から基部側（根元側）にかけて順次配設された上記第１、第４、第２、第３のパーツ生地３１、３４、３２、３３は、例えば図３の断面図に示すように、それぞれ裏面側では、第４のパーツ生地３４の舌部３４ｂ、３４ｂを利用して上記第１のパーツ生地３１と第２のパーツ生地３２が、また第２のパーツ生地３２の舌部３２ｂを利用して上記第２のパーツ生地３２と第３のパーツ生地３３が、それぞれ相互に所定の幅と長さで熱溶着されて伸縮可能に接合連結されている一方、表面側では、第１のパーツ生地３１の後端側ヒートシールされた周方向の縁部Ｈと第２のパーツ生地３２の前端側ヒートシールされた周方向の縁部Ｈが上記第４のパーツ生地３４の中間部外周面に対して周方向の全体に亘って熱溶着されることによって、相互に伸縮可能に接合連結されており、また第３のパーツ生地３３の前端側ヒートシールされた周方向の縁部Ｈが上記第２のパーツ生地３２の外周面に対して周方向に亘って熱溶着されて、それぞれ相互に伸縮可能な状態に接合連結されている。
【００６７】
したがって、上記指カバー部３の人差し指から小指までの各指の末節部、第１関節部、中節部、第２関節部、基節部は、それぞれ第１、第４、第２、第３の各金属製プロテクター片３１ａ、３４ａ、３２ａ、３３ａが収納された第１、第４、第２、第３の各パーツ生地３１、３４、３２、３３によって確実に保護されることになり、作業時の安全性が保たれる。
【００６８】
しかも、上記第１、第４、第２、第３の各金属製プロテクター片３１ａ、３４ａ、３２ａ、３３ａが収納された第１、第４、第２、第３の各パーツ生地３１、３４、３２、３３は、それぞれ相互に分断、独立して形成され、構造的に相互に独立に設けられており、前述した従来例（特許文献２）の場合とは異なり、それら金属製のプロテクター片３１ａ、３４ａ、３２ａ、３３ａ同士の間には、何ら直接的な連結構造は採用されておらず（先の従来例では複数の金属プレートを相互にカシメ付けて機械的に連結している）、それらを収納した弾力性、伸縮性の高いニット構造の第１、第４、第２、第３の各パーツ生地３１、３４、３２、３３同士が相互に独立した状態で伸縮可能に接合されることによって、屈伸（曲げ伸ばし）可能に連結されているだけである。
【００６９】
したがって、作業時における指部の屈伸（曲げ伸ばし）は非常に自由、かつスムーズであり、また屈伸時のプロテクター片間の接触による騒音も無く、非常に静粛である。
【００７０】
また、先の従来例のように、複数の金属プレート同士を相互にカシメ付けて機械的に連結するような必要がなく、基本的には各パーツ生地周縁のヒートシール、各パーツ生地相互の熱溶着のみで手袋全体を製造することができるので、同従来例の構造を採用して、ウオータージェット作業対応の作業用手袋を製造する場合に比べて、製造も容易で、製造コストも安価である。
【００７１】
（２）親指に対応する指カバー部分の場合
次に、親指の場合には、挿入される親指の先端側末節部、根元側基節部、甲部側中手骨部分に対応し、同親指の第１の関節部に対応する位置で相互に分断された伸縮性のある第１、第２のパーツ生地３１、３２と、挿入される親指の甲部側中手骨部分に対応し、同親指の第２の関節部分で上記第２のパーツ生地３２と分断されている第３のパーツ生地３３と、これら第１、第２、第３のパーツ生地３１、３２、３３中に挿入された第１、第２、第３のプロテクター片３１ａ、３２ａ，３３ａと、上記第１、第２のパーツ生地３１、３２の分断部の内側にあって、上記第１、第２のパーツ生地３１、３２の端部と相互に所定の幅だけ重なり合う状態で、上記親指の第１の関節部分を覆う伸縮性のある第４のパーツ生地３４と、該第４のパーツ生地３４中に挿入された第４のプロテクター片３４ａとからなり、上記第１、第２、第３のパーツ生地３１、３２、３３は、それぞれ裏面側では上記人差し指、中指、薬指等の場合と同様の第４のパーツ生地３４の前後両端側の舌部３４ｂ、３４ｂによって第１のパーツ生地３１と第２のパーツ生地３２が相互に熱溶着されて伸縮可能に接合連結され、また第２のパーツ生地３２後端側の舌部３２ｂによって第２のパーツ生地３２と第３のパーツ生地が相互に熱溶着されて伸縮可能に接合連結されている一方、また表面側では、上記第１のパーツ生地３１の後端側縁部（第１のプロテクター片３１ａを収納した後に開口部３０がヒートシールされ、かつ成形された縁部）Ｈと第２のパーツ生地３２の前端側縁部（第２のプロテクター片３２ａを収納した後に開口部３０がヒートシールされ、かつ成形された縁部）Ｈが上記第４のプロテクター片３４ａが収納され、かつ成形された第４のパーツ生地３４の外周面に対して周方向の全体に熱溶着されることによって相互に伸縮可能に接合連結されており、また第３のパーツ生地３３の前端側縁部（第３のプロテクター片３３ａを収納した後にヒートシールされ、かつ成形された縁部）Ｈが上記第２のパーツ生地３２の後部側外周面の周方向の全体に対して熱溶着されることによって、相互に伸縮可能に接合連結されている。
【００７２】
これらの構成は、基本的に上記人差し指から小指までの指カバー部分の構成と同様である。そのため、同親指に対応した指カバー部分の構成の場合にも、上記人差し指から小指までの指カバー部分の構成の場合と全く同様の作用、効果、メリットを得ることができる。
【００７３】
なお、この親指カバー部分の第１〜第４のプロテクター片３１ａ〜３４ａの成形前の形状は、後述する変形例の図１５に示すものと同様である。
【００７４】
したがって、以上の構成によって、上記親指から小指までの各指カバー部分の第１、第４、第２、第３のパーツ生地３１、３４、３２、３３相互が自由に屈伸可能な状態に接合連結され、かつ、それらの中に挿入された親指から小指までの各指の指節部および関節部が、それら各パーツ生地３１、３４、３２、３３内のプロテクター片３１ａ、３４ａ、３２ａ、３３ａによって確実に保護される。
【００７５】
ただし、上記親指部分の場合、上記第３のパーツ生地３３は親指単独で独立しており、他の指の第３のパーツ生地３３、３３・・とつながってはいない。また、後述するような、甲部カバー部４との接合部を表裏両面側でカバーする第６、第７のパーツ生地３５、３６は設けられていない。
【００７６】
これは、親指の場合、ウオータージェットガン等のハンドルを持った場合に、同部分が前面側に出ないこと、また親指の第３のパーツ生地３３部分の外径は比較的太く、周囲と独立した安定した状態で、甲部カバー部４側縁部Ｈの内の円弧状の縁部Ｈ２（図１２参照）と周方向の全体に亘って強固に接合できることなどによる。
【００７７】
＜甲部カバー部分の構成＞
さらに、上記甲部カバー部４は、例えば図１〜図３および図１２に示すように、上記指カバー部３側基部の第３の関節部に対応する位置で当該指カバー部３側第３のパーツ生地３３、３３・・と分断されている伸縮性のある第５のパーツ生地４１と、該第５のパーツ生地４１中に挿入された第５のプロテクター片４１ａとからなっていて、上記第５のパーツ生地４１は、第５のプロテクター片４１ａが収納されてヒートシールされ、かつ成形された周方向の縁部Ｈの内の人差し指から小指部分に対応する前端側縁部Ｈ１部分を、上記相互につながった第３のパーツ生地３３、３３・・の後端側縁部（第３のプロテクター片３３ａ、３３ａ・・を収納した後に開口部３０がヒートシールされ、かつ図１、図８のように波形に成形された縁部）Ｈの左右方向の全体に対して均等に熱溶着されて伸縮可能に接合連結されている。
【００７８】
すなわち、この甲部カバー部４の構成も、基本的には上記指部カバー部３の第１〜第４のパーツ生地３１〜３４の構成と同様であり、例えば図１２に示すように、その外周縁部Ｈに外形形状に応じた所定の幅のヒートシールされた縁部Ｈ１〜Ｈ５を有して全体として袋状に形成され、後端側縁部Ｈ５に所定の幅のヒートシールしていない部分を残すことによって、上記第５のプロテクター片４１ａを挿入するための所定の幅の開口部３０を形成している。
【００７９】
そして、同開口部３０を有する後端側縁部Ｈ５と前端側指カバー部３側との接合縁部Ｈ１、Ｈ２を除く左右両端側各縁部Ｈ３およびＨ４を、上記図４のベース生地１の甲部生地１Ｆの左右両端側縁部１ｆ、１ｆに対して、上述した各指カバー部の場合と同様にトンネル構造を形成するように縫い付ける。
【００８０】
その後、上記後端側の開口部３０を介して、当該縫い付けられた生地４１中に成形（図１５のＨ１〜Ｈ５で囲まれた形状に）された第５のプロテクター片４１ａを挿入し、開口部３０をヒートシールする。そして、それにより図１〜図３のような甲部挿入空間５を形成した塑性形状に維持する。
【００８１】
そして、その後、その前端側縁部Ｈ１を上記人差し指から小指部分に対応する上記第３のパーツ生地３３、３３・・の後端側縁部（第３のプロテクター片３３ａ、３３ａ・・を収納した後に開口部３０がヒートシールされ、かつ図１、図８のように波形に成形された縁部）Ｈの左右方向の全体に対して均等に熱溶着することによって伸縮可能に接合連結する。また、親指に対応する前端側縁部Ｈ２を、上記親指の第３のパーツ生地３３の外周面（第３のプロテクター片３３ａを収納した後に開口部３０がヒートシールされ、かつ筒形に維持された生地外周面）に対して周方向に均等に熱溶着することによって伸縮可能に接合連結する。
【００８２】
これらによって、上記親指から小指までの第１〜第３のパーツ生地３１〜３３、第４のパーツ生地３４よりなる指カバー部３と甲部カバー部４とが、相互に伸縮可能な状態で、かつ強固に連結される。
【００８３】
＜人差し指から小指までの第３のパーツ生地と甲部カバー部側第５のパーツ生地との接合部補強構造＞
この実施の形態の構成では、さらに上記人差し指から小指までの第３のパーツ生地３３、３３・・と甲部カバー部４側第５のパーツ生地４１との分断部の外周面側（上面側）には、上記第３のパーツ生地３３、３３・・と第５のパーツ生地４１前端の接合部に重なり合う状態で、上記人差し指から小指までの各指カバー部３と甲部カバー部４との間の第３の関節部（および甲部側中手骨部分）を覆う伸縮性のある図１３のような第６のパーツ生地３５が設けられている。該第６のパーツ生地３５には第６のプロテクター片３５ａが挿入され、その上で上記相互に連接する第３のパーツ生地３３、３３・・の外周面と第５のパーツ生地４１の前端側接合縁部Ｈ１に対して、前端側接合用の舌部３５ｂ、３５ｂ・・と後端側接合用の縁部Ｈ４が伸縮可能に接合されており、さらに左右両端側の縁部Ｈ２、Ｈ３は、ベース生地１の甲部生地１Ｆの前端部左右に上記第３のパーツ生地３３、３３の縁部Ｈ、Ｈと合わせて縫い付けられている。
【００８４】
そして、これにより上記人差し指から小指までの第３のパーツ生地３３、３３・・と甲部カバー部４側第５のパーツ生地４１との接合部が保護され、また補強されている。
【００８５】
また、同様に同部分の内周面側（裏面側）には、上記第３のパーツ生地３３、３３・・と第５のパーツ生地４１に重なり合う状態で、上記人差し指から小指までの各指部と甲部との間の第３の関節部を覆う伸縮性のある図１４のような第７のパーツ生地３６が接合されている。該第７のパーツ生地３６中には第７のプロテクター片３６ａが挿入され、上記第３のパーツ生地３３，３３・・と第５のパーツ生地４１の前端部に対して伸縮可能に接合されている。
【００８６】
該第７のパーツ生地３６には第７のプロテクター片３６ａが挿入され、その上で上記相互に連接する第３のパーツ生地３３、３３・・の内周面と第５のパーツ生地４１の前端側接合縁部Ｈ１の内周面に対して、その前端側接合用舌部３６ｂ、３６ｂ・・と後端側接合縁部Ｈ４が伸縮可能に接合されており、さらに左右両端側の縁部Ｈ２、Ｈ３は、ベース生地１の甲部生地１Ｆの前端部左右に上記第３のパーツ生地３３、３３の縁部Ｈ、Ｈと合わせて縫い付けられている。
【００８７】
そして、これにより上記人差し指から小指までの第３のパーツ生地３３、３３・・と甲部カバー部４側第５のパーツ生地４１との接合部が保護され、また補強されている。
【００８８】
第３のパーツ生地３３、３３・・と甲部カバー部４側第５のパーツ生地４１との分断部は、指部と甲部との間の第３の関節部に対応している。しかも、そこはウオータージェット作業時などに最も水の反射やコンクリート破砕片の飛び散りを受けやすい部分である。
【００８９】
したがって、同部分の場合には、その内側と外側の両方に位置して、上記第３のパーツ生地３３、３３・・と第５のパーツ生地４１とに重なり合うように、指部との間の第３の関節部を覆う第６のパーツ生地３５と第７のパーツ生地３６とを設け、それぞれ第６のプロテクター片３５ａ、第７のプロテクター片３６ａを挿入し、表面側と裏面側で上記第３のパーツ生地３３、３３・・と第５のパーツ生地４１との間に接合保持させている。これにより、上記第３のパーツ生地３３，３３・・と甲部側第５のパーツ生地４１との分断部である指部と甲部との間の第３の関節部が一層確実に保護される。
【００９０】
この第６のパーツ生地３５、第７のパーツ生地３６は、それぞれ上記第３のパーツ生地３３、３３・・と甲部カバー部４側第５のパーツ生地４１との間の分断部の幅を覆うに十分な幅を有し、かつ人差し指から小指までに亘る長さの物に形成されており、同様の大きさ、形状のプロテクター片３５ａ、３６ａを挿入した後に、プロテクター片挿入用の開口部３０をヒートシールする。そして、その上で上記第３のパーツ生地３３、３３・・と甲部カバー部４側第５のパーツ生地４１との間に、それらの間を覆う形で熱溶着により接合一体化される。
【００９１】
＜第１〜第４のパーツ生地および第５、第６、第７のパーツ生地の縫製、並びにそれら各部の溶着について＞
以上の説明では、第１〜第４のパーツ生地３１〜３４、第５、第６、第７のパーツ生地４１、３６、３７の縫製について、それぞれ個別に説明してきたが、実際には、それらすべての部分を縫製用の治具に対して縫製可能な一体状態に取り付け（保持させ）、第１〜第４のパーツ生地３１〜３４、第５、第６、第７のパーツ生地４１、３６、３７の各部をベース生地１に対して連続的に縫製してゆき、縫製完了後に、それらの各開口部３０、３０・・を介して、図１１の（ａ）〜（ｄ）、図１２〜図１４の第１〜第４の各プロテクター片３１ａ〜３４ａ、第５、第６、第７の各プロテクター片４１ａ、３６ａ、３７ａを挿入し、生地全体を最終的な製品形状に維持させた上で、それぞれを相互に熱溶着することによって、効率良く最終製品に仕上げるようになっている。したがって、効率良く製造してゆくことができる。
【００９２】
なお、この実施の形態における上記作業用手袋は、上記のように構成された最終段階で、さらに内側には、所望の素材の全体に連続する形の内面生地が設けられる。
【００９３】
＜この実施の形態に係る作業用手袋の作用＞
以上のような構成によれば、上記親指から小指部分までの各指カバーおよび各指カバーと甲部カバー部分の作業性の良い防護機能に加えて、それら各指部から甲部および手首部までの確実な防護が可能となる。
【００９４】
すなわち、以上の構成では、ウオータージェットを用いたコンクリート等の斫り作業に際し、作業者の手の指部および関節部、甲部が、それぞれ上記第１、第２、第３、第４のプロテクター片３１ａ、３２ａ、３３ａ、３４ａ、および第５のプロテクター片４１ａが挿入され、かつ前後に隣接するもの同士の間で相互に独立に重なり合う第１、第２、第３、第４のパーツ生地３１、３２、３３、３４、および第５のパーツ生地４１によって、それぞれ屈状態、伸状態の何れにおいても確実にカバーされることになり、ウオータージェット作業時の水の反射やコンクリートの破砕片の飛び散りがあっても安全となる。
【００９５】
また、上記第１、第２、第３、第４のプロテクター片３１ａ、３２ａ、３３ａ、３４ａ、および第５のプロテクター片４１ａが挿入され、かつ前後に隣接する上記第１、第２、第３のパーツ生地３１、３２、３３、および第５のパーツ生地４１は、それぞれその下端側が、上記厚さが厚く、強度が高いベース生地１の外周縁部１ａ、１ｂ、１ｃ、１ｄ、１ｅ、１ｆにしっかりと縫い付けられるとともに、必要に応じ、舌部３２ｂ、３４ｂ、３４ｂ、接合用の縁部Ｈ、Ｈ・・を介して、それぞれ相互に伸縮可能な状態で強固に接合されて、相対摺動可能に連結されている。
【００９６】
したがって、挿入された指の第１、第２、第３の関節部における曲げ伸ばしが自由でありながら、それぞれのパーツ生地３１、３２、３３、３４は全体として一体に連結された安定した状態に維持されるようになり、防護性、作業性、耐久性に優れた作業用の手袋が形成される。
【００９７】
しかも、上記第１、第４、第２、第３の各金属製プロテクター片３１ａ、３４ａ、３２ａ、３３ａが収納された第１、第４、第２、第３の各パーツ生地３１、３４、３２、３３は、それぞれ相互に分断、独立して形成され、構造的に相互に独立に設けられており、前述した従来例（特許文献１）の場合とは異なり、それら金属製のプロテクター片３１ａ、３４ａ、３２ａ、３３ａ同士の間には、何ら直接的な連結構造は採用されておらず（先の従来例では複数の金属プレートを相互にカシメ付けて機械的に連結している）、それらを収納した弾力性、伸縮性の高いニット構造の第１、第４、第２、第３の各パーツ生地３１、３４、３２、３３同士が相互に独立した状態で伸縮可能に接合されることによって、屈伸（曲げ伸ばし）可能に連結されているだけである。
【００９８】
したがって、作業時における指部の屈伸（曲げ伸ばし）は非常に自由、かつスムーズであり、また屈伸時のプロテクター片間の接触による騒音も無く、非常に静粛である。
【００９９】
また、先の従来例のように、複数の金属プレート同士を相互にカシメ付けて機械的に連結するような必要がなく、基本的には各パーツ生地周縁のヒートシール、各パーツ生地相互の熱溶着のみで手袋全体を製造することができるので、同従来例の構造を採用して、ウオータージェット作業対応の作業用手袋を製造する場合に比べて、製造も容易で、製造コストも安価である。
【０１００】
また、この実施の形態では、人差し指から小指までの各指部の第３のパーツ生地３３および第３のプロテクター片３３ａは、図８〜図１１に示すように、それぞれ相互に一体に連接されている。
【０１０１】
人差し指から小指までの各指部の第１関節、第２関節の部分は、ウオータージェット作業時の操作性から言って、屈伸角度も大きく、屈伸頻度も高い。したがって、同部分における第１〜第３のパーツ生地３１〜３３、第４のパーツ生地３４は、相互に独立分断された形でベース生地に縫い付けられていることが好ましい。
【０１０２】
しかし、人差し指から小指までの各指部の甲部側第３関節部分は、屈伸頻度は同じでも、屈伸角度は小さい。したがって、人差し指から小指までの各指部の第２関節と甲部側第３関節との間の指部をカバーする第３のパーツ生地３３や第３のプロテクター片３３ａは、相互につながっていても、十分に自由な屈伸操作が可能である。
【０１０３】
また、相互につながっていると、それら各指部間の断面Ｖ字状の連接部が各指部間の基部（股部）を安全に保護することになるし、甲部側第５のパーツ生地４１との伸縮可能な状態での接合性も良くなるなど、指部基部部分の強度、耐久性、安全性が向上する。
【０１０４】
なお、以上の構成では、指の第１の関節部に対応した第１のパーツ生地３１と第２のパーツ生地３２との分断部間にのみ関節部保護用の第４のパーツ生地３４を設けるようにしたが、必要な場合には、後述の変形例２の構成のように、第２の関節部に対応した第２のパーツ生地３２と第３のパーツ生地３３との分断部間にも当該第２の関節部保護用の同様の構造の第８のパーツ生地３８（第８のプロテクター片３８ａ）を設けるようにしても良い。
【０１０５】
＜変形例１＞
次に、図１５〜図１７は、上記実施の形態の変形例１に係る構成を示している。上記実施の形態の構成では、人差し指から小指までの指基節部側の第３のパーツ生地３３、３３・・および第３のプロテクター片３３ａ、３３ａ・・について、隣り合うもの同士が相互に連接する図８、図９（ｄ）、図１０（ｄ）、図１１（ｄ）のような構成に形成した。
【０１０６】
しかし、この部分の構成は、必ずしも同構成に限定されるものではなく、例えば図１５〜図１７に示すように、上記の親指部分の構成の場合と同様に、各指で独立したパーツ生地構成、プロテクター片構成にすることも可能である。
【０１０７】
図１５は、そのような構成にした場合の各プロテクター片の３１ａ、３２ａ、３３ａ、３４ａ、３５ａ、３６ａ、４１ａのレイアウトパターンを示しており、また図１６は、そのように構成した場合の第３のパーツ生地３３のベース生地１に対する縫い付け状態の構成、図１７は同図１６の状態の第３のパーツ生地３３中に第３のプロテクター片３３ａを収納し、成形した上記図９と同様の状態の断面図を示している。
【０１０８】
人差し指から小指までの各指部の第２関節と甲部側第３関節部分の屈伸角度は小さいとは言いながらも、相互の自由度が高い方が手袋としての操作性は向上する。したがって、この変形例のように、各指部の第２関節と甲部側第３関節との間の指部をカバーする第３のパーツ生地３３や第３のプロテクター片３３ａについても、親指の場合と同様に、それぞれ相互に独立に分断された形でベース生地に縫い付けて、十分に自由な屈伸操作を可能とする。
【０１０９】
このような構成にすると、人差し指から小指までの各指部の第２関節と甲部側第３関節部分の屈伸の自由度が向上し、手袋としての操作性が向上するとともに、加工、縫製等が容易になるメリットがある。
＜変形例２＞
図１８〜図２５は、本願発明の実施の形態の変形例２に係る作業用手袋の構成を示している。
【０１１０】
上記実施の形態１の構成では、指の第１の関節部に対応した第１のパーツ生地３１（第１のプロテクター片３１ａ）と第２のパーツ生地３２（第２のプロテクター片３２ａ）との分断部間にのみ関節部保護用の第４のパーツ生地３４（第４のプロテクター片３４ａ）を設けるようにしたが、好ましくは、第２の関節部に対応した第２のパーツ生地３２（第２のプロテクター片３２ａ）と第３のパーツ生地３３（第３のプロテクター片３３ａ）の分断部間の下部にも、当該第２の関節部保護用の同様の構造の第８のパーツ生地３８（第８のプロテクター片３８ａ）を設けることができる。
【０１１１】
図１８、図１９、図２１、図２５は、そのようにした場合の構成（第８のパーツ生地３８（第８のプロテクター片３８ａ）の追加）を示している。このような構成によれば、上記第２の関節部をより効果的に保護することが可能になる。
【０１１２】
また、この変形例２の構成の場合、上記変形例１の場合と同様に、人差し指から小指までの各指部の第２関節と甲部側第３関節との間の指部をカバーする第３のパーツ生地３３および第３のプロテクター片３３ａは、それぞれ相互に独立に分断された形でベース生地１に縫い付けられているとともに、上記人差し指から小指までの各指部の第２関節と甲部側第３関節との間の指部間に、まず股部カバーとしての断面Ｖ字状の第９のパーツ生地３９（第９のプロテクター片３９ａ）を設け、それに対して第３のパーツ生地３３（第３のプロテクター片３３ａ）を重ね合わせるようにしている（図２３、図２４参照）。
【０１１３】
人差し指から小指までの各指部の第２関節と甲部側第３関節部分の屈伸角度は小さいとは言いながらも、相互の自由度が高い方が手袋としての操作性は向上する。したがって、この変形例２の場合には、各指部の第２関節と甲部側第３関節との間の指部をカバーする第３のパーツ生地３３や第３のプロテクター片３３ａについても、変形例１の場合と同様に、それぞれ相互に独立に分断された形でベース生地に縫い付けて、十分に自由な屈伸操作を可能とする。
【０１１４】
他方、上記人差し指から小指までの各指部の第２関節と甲部側第３関節との間の指部間には、上記実施の形態の連接部に代わる形で断面Ｖ字状の股部カバー部材である第９のパーツ生地３９（第９のプロテクター片３９ａ）を設けて、各指部間の基部（股部）を安全に保護するとともに、指部基部部分の強度、耐久性、安全性を向上させるようにしている。この第９のパーツ生地３９の第３のプロテクター片３９aの股部側Y部分は、斜め上方に絞られ、かつ左右幅も次第に狭く形成されて、指間の股部部分に適切にフィットするように構成されている（図２３、図２４参照）。
【０１１５】
このような構成によれば、実施の形態および変形例１の構成に比べて、操作性、補強性が、一層有効に向上するようになる。なお、図２１〜図２４の構成では、それぞれ各プロテクター片を収納するパーツ生地を省略した状態で示しているが、それぞれのプロテクター片３８a,３８a・・および３９a,３９a、３９aが対応するパーツ生地３８，３８・・および３９，３９，３９内にヒートシールで収納され、対応する部分と熱融着により接合されるのは、その他の部分と全く同様である（図２５参照）。
【符号の説明】
【０１１６】
１はベース生地
１Ａ〜１Ｅはベース生地１の指部
２は指挿入空間
３は指カバー部
４は甲部カバー部
３１は第１のパーツ生地
３１ａは第１のプロテクター片
３２は第２のパーツ生地
３２ａは第２のプロテクター片
３３は第３のパーツ生地
３３ａは第３のプロテクター片
３４は第４のパーツ生地
３４ａは第４のプロテクター片
３５は第６のパーツ生地
３５ａは第６のプロテクター片
３６は第７のパーツ生地
３６ａは第７のプロテクター片
３８は第８のパーツ生地
３８ａは第８のプロテクター片
３９は第９のパーツ生地
３９ａは第９のプロテクター片
４１は第５のパーツ生地
４１ａは第５のプロテクター片
【図１】
0006485837.tif 000002
【図２】
0006485837.tif 000003
【図３】
0006485837.tif 000004
【図４】
0006485837.tif 000005
【図５】
0006485837.tif 000006
【図６】
0006485837.tif 000007
【図７】
0006485837.tif 000008
【図８】
0006485837.tif 000009
【図９】
0006485837.tif 000010
【図１０】
0006485837.tif 000011
【図１１】
0006485837.tif 000012
【図１２】
0006485837.tif 000013
【図１３】
0006485837.tif 000014
【図１４】
0006485837.tif 000015
【図１５】
0006485837.tif 000016
【図１６】
0006485837.tif 000017
【図１７】
0006485837.tif 000018
【図１８】
0006485837.tif 000019
【図１９】
0006485837.tif 000020
【図２０】
0006485837.tif 000021
【図２１】
0006485837.tif 000022
【図２２】
0006485837.tif 000023
【図２３】
0006485837.tif 000024
【図２４】
0006485837.tif 000025
【図２５】
0006485837.tif 000026